(57)【特許請求の範囲】
【請求項１】
ワイヤハーネスの一部が挿入されるメスコネクタハウジングと、前記メスコネクタハウジングを収納するオスコネクタハウジングと、前記ワイヤハーネスの引き出し方向を規制するカバーとが一体的に組み付けられているコネクタ構造であって、
前記カバーは、カバーフランジと、前記カバーフランジに連続したカバーフードと、前記カバーフランジの互に対向した位置にそれぞれ設けられ、前記カバーフードとは反対の方向に突出したカバーアームおよびカバー突起とを有し、
前記メスコネクタハウジングは、外面の互いに対向する位置にそれぞれ形成されたリブと、前記リブに形成されたリブ溝と、外面に形成された係止ロックとを有し、
前記オスコネクタハウジングは、前記係止ロックが係止可能な係止ロック溝と、前記リブを収納可能なリブ収納切欠部と、前記リブ収納切欠部に連続して前記カバーアームを収納可能なカバーアーム収納切欠部とを有し、
前記メスコネクタハウジングが前記オスコネクタハウジングに収納された状態で、前記リブは前記リブ収納切欠部に侵入すると共に、前記係止ロックは前記係止ロック溝に係止し、前記カバーアームは前記カバーアーム収納切欠部に侵入すると共に、前記カバー突起は前記リブ溝に侵入することを特徴とするコネクタ構造。
【請求項２】
前記カバーアームは、前記カバーフランジの端面に対して平行なカバーアーム平行部分と、前記カバーフランジの端面に対して垂直なカバーアーム垂直部分とを具備し、前記カバー突起は前記カバーアーム平行部分に対向した位置に配置され、
前記カバーフランジの端面の一部、前記カバーアーム平行部分および前記カバーアーム垂直部分の三者によって形成された一面が開口した空間内に、前記リブ収納切欠部に収納された前記リブが侵入していることを特徴とする請求項１記載のコネクタ構造。
【請求項３】
前記カバーアーム収納切欠部に、前記カバーアームの侵入方向側の面が当接するストッパーが設けられていることを特徴とする請求項１または２記載のコネクタ構造
【発明の詳細な説明】
【技術分野】
【０００１】
本発明はコネクタ構造、特に、カバー、メスコネクタハウジングおよびオスコネクタハウジングが一体的に組み付けられているコネクタ構造に関する。
【背景技術】
【０００２】
従来、コネクタハウジングに組み付けられ、コネクタハウジングから後方に引き出された電線（ワイヤに同じ）を屈曲させて所定の引き出し方向に導出させる電線カバーを備えたコネクタとして、コネクタハウジングの外側面に係止爪（突部）および前方に延びる受け溝（凹部）を形成し、電線カバーには係止爪に係止可能な係止孔を備えた撓み部および、受け溝に挿入可能なリブを、両方の側面に形成した発明が開示されている（例えば、特許文献１参照）。
【先行技術文献】
【特許文献】
【０００３】
【特許文献１】特開２０１２−５４２０６号公報（第４−６頁、図１）
【発明の概要】
【発明が解決しようとする課題】
【０００４】
特許文献１に開示された発明は、受け溝の開口縁に傾斜面を形成すると共に、リブの先端に傾斜当接面を形成して、傾斜面と傾斜当接面とが面接触するようにしている。このため、電線カバーをコネクタハウジングに作業性を悪化させることなく組み付けることができ、電線カバーのコネクタハウジングに対するガタつきを抑制することができるとするものである。
しかしながら、かかる発明は、前方に延びる受け溝にリブを後方から挿入する際、係止孔が形成されている撓み部は係止爪によって一旦外側に弾性変形（拡大）され、その後、撓み部が弾性復元することによって、係止孔に係止爪が侵入するものである。このとき、電線を屈曲させるための押し付け力あるいは屈曲を維持するため押し付け力は、電線カバーの挿入方向（前後方向）の「電線カバーを抜け出させる力」となって、係止爪に作用することになる。
【０００５】
したがって、電線カバーがコネクタハウジングから抜け出さないように確実に組み付けるためには、撓み部の剛性を高める必要がある。そうすると、組み付け時に、撓み部を係止爪に押し当て、一旦外側に弾性変形（拡大）させるために、電線カバーを挿入方向に強く押し込む必要が生じ、かえって作業性が悪化するという問題があった。
また、係止孔と係止爪との間には前後方向（挿入方向および抜け出し方向に同じ）に隙間があるため、電線カバーは前後方向でガタツクという問題があった。
さらに、係止爪はコネクタハウジングの外側面に突出し、電線カバーの両側面に形成された撓み部はコネクタハウジングの外側面に対向するため、電線カバーの幅（撓み部の外側の面同士の距離）はコネクタハウジングの幅（外側面同士の距離）より大きくなる。このため、コネクタの小型化に逆行し、コネクタを設置することができる装置の自由度が低下する（装置が制限される）という問題があった。
【０００６】
本発明は、このような状況に鑑みてなされたものであり、電線カバーの幅がコネクタハウジングの幅内に納まり、電線カバーがコネクタハウジングに容易かつ確実に組み付けられたコネクタ構造を提供することにある。
【課題を解決するための手段】
【０００７】
本発明に係るコネクタ構造は、ワイヤハーネスの一部が挿入されるメスコネクタハウジングと、前記メスコネクタハウジングを収納するオスコネクタハウジングと、前記ワイヤハーネスの引き出し方向を規制するカバーとが一体的に組み付けられているコネクタ構造であって、
前記カバーは、カバーフランジと、前記カバーフランジに連続したカバーフードと、前記カバーフランジの互に対向した位置にそれぞれ設けられ、前記カバーフードとは反対の方向に突出したカバーアームおよびカバー突起とを有し、
前記メスコネクタハウジングは、外面の互いに対向する位置にそれぞれ形成されたリブと、前記リブに形成されたリブ溝と、外面に形成された係止ロックとを有し、
前記オスコネクタハウジングは、前記係止ロックが係止可能な係止ロック溝と、前記リブを収納可能なリブ収納切欠部と、前記リブ収納切欠部に連続して前記カバーアームを収納可能なカバーアーム収納切欠部とを有し、
前記メスコネクタハウジングが前記オスコネクタハウジングに収納された状態で、前記リブは前記リブ収納切欠部に侵入すると共に、前記係止ロックは前記係止ロック溝に係止し、前記カバーアームは前記カバーアーム収納切欠部に侵入すると共に、前記カバー突起は前記リブ溝に侵入することを特徴とする。
【０００８】
また、前記カバーアームは、前記カバーフランジの端面に対して平行なカバーアーム平行部分と、前記カバーフランジの端面に対して垂直なカバーアーム垂直部分とを具備し、前記カバー突起は前記カバーアーム平行部分に対向した位置に配置され、
前記カバーフランジの端面の一部、前記カバーアーム平行部分および前記カバーアーム垂直部分の三者によって形成された一面が開口した空間内に、前記リブ収納切欠部に収納された前記リブが侵入していることを特徴とする。
【０００９】
さらに、前記カバーアーム収納切欠部に、前記カバーアームの侵入方向側の面が当接するストッパーが設けられていることを特徴とする。
【発明の効果】
【００１０】
（ａ）本発明によれば、リブがリブ収納切欠部に侵入すると共に、係止ロックが係止ロック溝に係止して、メスコネクタハウジングがオスコネクタハウジングに固定された状態で、カバーのカバーアームはオスコネクタのカバーアーム収納切欠部に侵入すると共に、カバーのカバー突起はメスコネクタのリブ溝に侵入するから、カバーはメスコネクタのリブおよびリブ溝によって抜け出し不可能に、しかもガタツキが抑えられ、確実に組み付けられる。
（ｂ）また、カバーのカバーアームを弾性変形させることなく、カバーアームをオスコネクタのカバーアーム収納切欠部に侵入させることができるから、組み付けが容易で、作業性が良好である。
（ｃ）さらに、メスコネクタハウジングのリブはオスコネクタハウジングのリブ収納切欠部に収納され、カバーのカバーアームはオスコネクタハウジングのカバーアーム収納切欠部に収納されるから、カバーがオスコネクタハウジングの外面に突出することがない。すなわち、メスコネクタハウジングおよびカバーはオスコネクタハウジングの幅内に納まるから、コネクタ構造を小型にすることができる。
【図面の簡単な説明】
【００１１】
【図１】本発明の実施の形態１に係るコネクタ構造を説明するものであって、構成部材を分離して示す斜視図である。
【図２】本発明の実施の形態１に係るコネクタ構造を説明する構成部材の一部（カバー）を示す側面図である。
【図３】本発明の実施の形態１に係るコネクタ構造を説明する構成部材の一部（カバー）を示す正面図である。
【図４】本発明の実施の形態１に係るコネクタ構造を説明するものであって、図３におけるＶ−Ｖ断面を示す断面図である。
【図５】本発明の実施の形態１に係るコネクタ構造を説明する構成部材の一部（メスコネクタハウジング）を示す背面図である。
【図６】本発明の実施の形態１に係るコネクタ構造を説明するものであって、図５におけるＷ−Ｗ断面を示す断面図である。
【図７】本発明の実施の形態１に係るコネクタ構造を説明する構成部材の一部（オスコネクタハウジング）を示す側面図である。
【図８】本発明の実施の形態１に係るコネクタ構造を説明するものであって、組み付け初期を示す側面図である。
【図９】本発明の実施の形態１に係るコネクタ構造を説明するものであって、組み付け終期を示す側面図である。
【図１０】本発明の実施の形態１に係るコネクタ構造を説明するものであって、組み付け終期を示す背面図である。
【図１１】本発明の実施の形態１に係るコネクタ構造を説明するものであって、図１０におけるＶ−Ｖ断面を示す断面図である。
【発明を実施するための形態】
【００１２】
［実施の形態１］
【００１３】
以下、発明を実施するための形態（以下「実施の形態１」と称す）を、図面を参照しつつ説明する。なお、本発明は図示された形態に限定されるものではない。また、図面の煩雑さを避けるため、一部の部位の記載あるいは一部の符号の記載を省略する場合がある。
【００１４】
（コネクタ構造）
【００１５】
図１は本発明の実施の形態１に係るコネクタ構造を説明するものであって、構成部材を分離して示す斜視図である。
図１において、コネクタ構造１０００は、カバー１００とメスコネクタハウジング２００とオスコネクタハウジング３００とが一体的に組み付けられている。
すなわち、メスコネクタハウジング２００には、ワイヤハーネス４００を構成する圧着端子４２０が太い矢印にて示す方向（以下「ワイヤハーネス挿入方向」と称す）４０１に挿入される。また、オスコネクタハウジング３００はメスコネクタハウジング２００を収納する。そして、カバー１００は、ワイヤハーネス４００を構成するワイヤ４１０が太い矢印にて示す方向（以下「ワイヤハーネス引き出し方向」と称す）１０１に引き出されるように規制する。以下、それぞれについて説明する。
なお、以下の説明の便宜上、ワイヤハーネス挿入方向４０１を「Ｙ方向」または「端面方向」と、ワイヤ引き出し方向１０１とは反対の方向を「Ｚ方向」または「背面方向」と、Ｙ方向およびＺ方向に垂直な方向を「Ｘ方向」または「側面方向」と称す。そして、Ｘ方向に見た図を「側面図」、Ｙ方向に見た図を「上面図」、Ｚ方向（ワイヤ引き出し方向１０１とは反対の方向）に見た図を「正面図」、−Ｚ方向（ワイヤ引き出し方向１０１）に見た図を「背面図」としている
【００１６】
（カバー）
図２〜図４は本発明の実施の形態１に係るコネクタ構造を説明するものであって、図２は構成部材の一部（カバー）を示す側面図、図３は構成部材の一部（カバー）を示す正面図、図４は図３におけるＶ−Ｖ断面を示す断面図である。なお、説明の便宜上、図１におけるＸ方向、Ｙ方向およびＺ方向を付記する。
図２〜図４および再び図１において、カバー１００は、略馬蹄形状のカバーフランジ１３０と、カバーフランジ１３０に連続したカバーフード１４０と、カバーフランジ１３０の端面（以下「カバーフランジ端面」と称す）１３１の互に対向した位置にそれぞれ設けられ、カバーフード１４０とは反対方向に突出したカバーアーム１１０およびカバー突起１２０とを有している。以下、それぞれについて説明する。
【００１７】
（カバーアーム）
カバーアーム１１０は、カバーフランジ端面１３１に対して平行なカバーアーム平行部分１１１と、カバーフランジ端面１３１対して垂直なカバーアーム垂直部分１１２とを具備し、カバーフランジ端面１３１の一部、カバーアーム平行部分１１１およびカバーアーム垂直部分１１２の三者によって一方の面が開口したカバーアーム空間１１３が形成されている。
なお、カバーアーム１１０のワイヤ引き出し方向１０１側（−Ｚ方向側）の面を「カバー位置決め面１１４」と称す。また、カバーフランジ端面１３１とカバーアーム平行部分１１１との距離（以下「カバーアーム隙間」と称す）を「Ａ」、カバーアーム平行部分１１１の厚さ（Ｙ方向の距離）を「Ｂ」とする。
【００１８】
（カバー突起）
カバー突起１２０はカバーフランジ端面１３１からカバーアーム空間１１３内に突出し、カバーアーム平行部分１１１に対向している。そして、カバー突起１２０のワイヤ引き出し方向１０１側の面（−Ｚ方向側の面に同じ。以下「カバー突起摺動面」と称す）１２１は、ワイヤ引き出し方向１０１の反対側（Ｚ方向）になる程、突出量が増すように傾斜し、カバー突起１２０のワイヤ引き出し方向１０１の反対側の端面（Ｚ方向側の面に同じ。以下「カバー突起侵入面」と称す）１２２はカバーフランジ端面１３１に略垂直になっている。
すなわち、カバー突起１２０は断面略三角形を呈している。なお、カバー突起１２０のＺ方向の長さ（カバー突起摺動面１２１のカバーフランジ端面１３１からの立ち上がり部とカバー突起侵入面１２２との距離に同じ）を「Ｃ」とする。
【００１９】
（カバーフード）
カバーフード１４０はワイヤ引き出し方向１０１側の面（Ｘ−Ｙ面に略平行な面。以下「カバーフード端面」と称す）１４１が開口している。そして、互いに対向したＹ−Ｚ面に略平行なカバーフード左側面１４２およびカバーフード右側面１４３と、カバーフード左側面１４２とカバーフード右側面１４３との一方の側縁を連結し、カバーフランジ端面１３１に平行なカバーフード平行面１４４と、カバーフード左側面１４２、カバーフード右側面１４３およびカバーフード平行面１４４に連結され、カバーフランジ端面１３１から離れる程、カバーフード端面１４１に近づくように傾斜したカバーフード傾斜面１４５とを具備している。
【００２０】
そして、カバーフード左側面１４２のカバーフード平行面１４４とは反対の側縁にカバーフード切欠部１４６が形成され、カバーフード右側面１４３のカバーフード端面１４１に近い所定の範囲が欠損して、カバーフード欠損部１４７が形成されている。
また、カバーフード平行面１４４のカバーフランジ端面１３１とは反対側の面に平行した一対の突条からなるカバーフード突条１４８が形成されている。
【００２１】
なお、本発明のカバー１００は、カバーアーム１１０およびカバー突起１２０を具備する限り、カバーフランジ１３０やカバーフード１４０の形状は限定されるものではない。
例えば、カバーフード左側面１４２とカバーフード右側面１４３とが、カバーフード平行面１４４やカバーフード傾斜面１４５とは相違する部材によって連結されてもよい。また、カバーフード切欠部１４６、カバーフード欠損部１４７およびカバーフード突条１４８は、結束バンド５００の結束を容易かつ確実にするためのものである（これについては別途詳細に説明する）が、カバーフード切欠部１４６、カバーフード欠損部１４７およびカバーフード突条１４８の何れか１以上を具備しないものであってもよい。
【００２２】
（メスコネクタハウジング）
図５および図６は本発明の実施の形態１に係るコネクタ構造を説明するものであって、図５は構成部材の一部（メスコネクタハウジング）を示す背面図、図６は図５におけるＷ−Ｗ断面を示す断面図である。なお、説明の便宜上、図１におけるＸ方向、Ｙ方向およびＺ方向を付記する。
図５および図６において、メスコネクタハウジング２００は、ワイヤハーネス４００を構成する圧着端子４２０（図１参照）を収納するワイヤハーネス収納室２４０を具備し、ワイヤハーネス収納室２４０はワイヤハーネス挿入方向４０１とは反対側の端面（−Ｙ方向の端面に同じ。以下「メスコネクタ端面」と称す）２０１に開口している。
【００２３】
（リブ）
メスコネクタハウジング２００の互いに対向する外面（Ｘ方向の外面および−Ｘ方向の外面に同じ。以下「メスコネクタ側面」と称す）２０２にそれぞれ板状（棒状を含む）のリブ２１０が形成されている。リブ２１０はメスコネクタ端面２０１に連続して側面方向（それぞれＸ方向および−Ｘ方向）に突出している。そして、リブ２１０はカバーアーム空間１１３に侵入可能なように、リブ２１０の厚さ（Ｙ方向の距離）を「Ｄ」とすると、厚さＤはカバーアーム隙間Ａよりもわずかに小さくなっている（Ｄ＜Ａ）。
そして、リブ２１０のワイヤ引き出し方向１０１とは反対の方向の端面（Ｚ方向側の端面に同じ。以下「リブ摺動面」と称す）２１１は、Ｚ方向になる程、Ｙ方向に（メスコネクタ端面２０１から離れるように）傾斜している。
【００２４】
（リブ溝）
また、リブ２１０にはＹ方向に貫通したリブ溝２２０が形成されている。リブ溝２２０は、カバー突起１２０が侵入可能なように、リブ溝２２０の長さ（Ｚ方向の距離に同じ）を「Ｅ」とすると、長さＥはカバー突起１２０の長さＣよりも大きくなっている（Ｅ＞Ｃ）。そして、リブ溝２２０のリブ摺動面２１１側の面を「リブ溝面２２２」と称す。
なお、リブ溝２２０はリブ２１０を貫通しているが、本発明はこれに限定するものではなく、カバー突起１２０が侵入可能である限り、底付きの凹部にしてもよい。
【００２５】
（係止ロック）
さらに、メスコネクタハウジング２００のワイヤ引き出し方向１０１とは反対の方向の面（Ｚ方向の面に同じ。以下「メスコネクタ背面」と称す）２０３に係止ロック２３０が設けられている。係止ロック２３０は進退可能に突出し、後記するオスコネクタハウジング３００に設けられた係止ロック溝３３０に係止する（図９参照）。
【００２６】
（オスコネクタハウジング）
図７は本発明の実施の形態１に係るコネクタ構造を説明するものであって、構成部材の一部（オスコネクタハウジング）を示す側面図である。なお、説明の便宜上、図１におけるＸ方向、Ｙ方向およびＺ方向を付記する。
図７および再び図１において、オスコネクタハウジング３００は、メスコネクタハウジング２００を収納するオスコネクタ収納室３４０を具備し、オスコネクタ収納室３４０はワイヤハーネス挿入方向４０１の反対側の面（−Ｙ方向の面に同じ。以下「オスコネクタ端面」と称す）３０１に開口している。
そして、オスコネクタ端面３０１の互いに対向した位置（Ｘ方向の位置および−Ｘ方向の位置）にそれぞれリブ収納切欠部３２０が形成され、さらに、リブ収納切欠部３２０に連続したカバーアーム収納切欠部３１０が形成されている。すなわち、リブ収納切欠部３２０とカバーアーム収納切欠部３１０とによって仕切りのない空間が形成されている。
【００２７】
（リブ収納切欠部）
リブ収納切欠部３２０には、メスコネクタハウジング２００のリブ２１０が、オスコネクタ端面３０１に対して垂直な方向（Ｙ方向）から侵入可能であり、リブ収納切欠部３２０のリブ収納切欠部底面３２１はオスコネクタ端面３０１に平行である。そして、リブ収納切欠部底面３２１とオスコネクタ端面３０１との距離（Ｙ方向の距離に同じ。以下「リブ収納切欠部深さ」と称す）を「Ｆ」とすると、リブ収納切欠部深さＦは、リブ２１０の厚さＤに略同じである（Ｆ≒Ｄ）。
【００２８】
（カバーアーム収納切欠部）
リブ２１０がリブ収納切欠部３２０に侵入した状態で、カバー１００のカバーアーム１１０はワイヤ引き出し方向１０１（−Ｚ方向。「侵入方向」と称す場合がある）に向かって移動され、カバーアーム収納切欠部３１０に侵入可能である。また、カバーアーム収納切欠部３１０の底面（以下「カバーアーム収納切欠部底面」と称す）３１１はオスコネクタ端面３０１に平行である。
そして、カバーアーム収納切欠部底面３１１とリブ収納切欠部底面３２１との距離（Ｙ方向の距離に同じ。以下「カバーアーム収納切欠部深さ」と称す）を「Ｇ」とすると、カバーアーム収納切欠部深さＧは、カバーアーム平行部分１１１の厚さＢに略同じである（Ｇ≒Ｂ）。
さらに、カバーアーム収納切欠部３１０のワイヤ引き出し方向１０１側（侵入方向側）に、カバーアーム１１０の侵入を停止させるストッパー３１２が設けられている。
【００２９】
（係止ロック溝）
さらに、オスコネクタハウジング３００の外面には、リブ収納切欠部３２０に対して垂直な位置に、メスコネクタハウジング２００の係止ロック２３０が係止可能な係止ロック溝３３０が形成され（図１参照）、外周面には円環状のオスコネクタフランジ３０２が設けられている。オスコネクタフランジ３０２は図示しない装置（例えば、自動車のオートマチックトランスミッションケース等）にコネクタ構造１０００が取り付けられる際に、当該装置に当接する面になる。
【００３０】
（組み付け）
図８は本発明の実施の形態１に係るコネクタ構造を説明するものであって、組み付け初期を示す側面図、図９は組み付け終期を示す側面図、図１０は組み付け終期を示す背面図、図１１は図１０におけるＶ−Ｖ断面を示す断面図である。なお、説明の便宜上、図１におけるＸ方向、Ｙ方向およびＺ方向を付記する。また、図９〜図１１においては、ワイヤハーネス４００を構成するワイヤ４１０（図１参照）の記載を省略している。
【００３１】
（組み付け初期）
図８において、メスコネクタハウジング２００がオスコネクタハウジング３００のオスコネクタ収納室３４０（図１参照）に収納されている。このとき、メスコネクタ端面２０１とオスコネクタ端面３０１とは略同一面に位置し、リブ２１０はリブ収納切欠部３２０に侵入している。また、メスコネクタハウジング２００の係止ロック２３０はオスコネクタハウジング３００の係止ロック溝３３０に係止している（図１０参照）。すなわち、メスコネクタハウジング２００はオスコネクタハウジング３００に移動不可能（抜け出し不可能を含む）に収納されている。
そして、カバー１００のカバーフランジ端面１３１が、オスコネクタ端面３０１と略同一の仮想面内に配置され、ワイヤ引き出し方向１０１（侵入方向）に移動されようとしている。
【００３２】
（組み付け終期）
図９〜図１１において、カバー１００が組み付けられてコネクタ構造１０００が完成している。すなわち、リブ２１０がリブ収納切欠部３２０に収納された状態で、カバー１００がワイヤ引き出し方向１０１（侵入方向）に移動され、カバーアーム１１０がカバーアーム収納切欠部３１０に侵入している。そして、リブ２１０は、カバー１００のカバーアーム空間１１３内に侵入している。
【００３３】
このとき、カバー１００のカバーフランジ端面１３１は、オスコネクタ端面３０１およびメスコネクタ端面２０１に摺動し、カバー突起１２０のカバー突起摺動面１２１は、メスコネクタハウジング２００のリブ摺動面２１１に押し当てられる。そして、リブ２１０が撓む（弾性変形する）ことによって、カバー突起１２０はリブ摺動面２１１を乗り越えてリブ溝２２０に侵入し、引き続いてリブ２１０が弾性復元することによって、カバー突起侵入面１２２はリブ溝２２０のリブ溝面２２２に略当接している。
また、カバー１００のカバー位置決め面１１４はオスコネクタハウジング３００のストッパー３１２に当接している。
なお、結束バンド５００がカバーフード１４０に取り付けられ、図示しないワイヤ４１０はカバー１００に確実に固定されている（これについては別途詳細に説明する）。
【００３４】
（作用効果）
（ａ）以上のようにコネクタ構造１０００は、リブ２１０がリブ収納切欠部３２０に侵入すると共に、係止ロック２３０が係止ロック溝３３０に係止することによって、メスコネクタハウジング２００がオスコネクタハウジング３００に固定された状態になる。そして、かかる状態で、カバー１００のカバーアーム１１０はオスコネクタハウジング３００のカバーアーム収納切欠部３１０に侵入すると共に、カバー１００のカバー突起１２０はメスコネクタハウジング２００のリブ溝２２０に侵入する。したがって、カバー１００はメスコネクタハウジング２００のリブ２１０およびリブ溝２２０によって抜け出し不可能に、しかもガタツキが抑えられて位置決めされ、確実に組み付けられる。
（ｂ）また、カバー１００のカバーアーム１１０を弾性変形させることなく、カバーアーム１１０をオスコネクタハウジング３００のカバーアーム収納切欠部３１０に侵入させることができるから、組み付けが容易で、作業性が良好である。
（ｃ）さらに、メスコネクタハウジング２００のリブ２１０はオスコネクタハウジング３００のリブ収納切欠部３２０に収納され、カバー１００のカバーアーム１１０はオスコネクタハウジング３００のカバーアーム収納切欠部３１０に収納されるから、カバー１００がオスコネクタハウジング３００の外面に突出することがない。すなわち、メスコネクタハウジング２００およびカバー１００はオスコネクタハウジング３００の幅内に納まり、コネクタ構造１０００を小型にすることができる。
【００３５】
なお、ワイヤ４１０はカバーフード傾斜面１４５に当接してワイヤ引き出し方向１０１に屈曲させられている（図示しない）が、かかる屈曲させる力や屈曲した姿勢を維持するための力は、カバー１００をメスコネクタハウジング２００から引き離そうとする力（−Ｙ方向の力）となって、カバーアーム１１０を介してリブ２１０に伝達される。そうすると、カバーアーム１１０は、前記のように撓む（弾性変形する）必要がないから、組み付け作業の作業性を阻害することなく、かかる力に耐え得る十分な剛性を有する形状にすることが可能になる。
また、カバーアーム１１０を侵入方向（ワイヤ引き出し方向１０１）とは反対の方向に移動させようとする力が、カバーアーム１１０に作用した場合、かかる力は、カバーアーム１１０のカバー突起侵入面１２２とメスコネクタハウジング２００のリブ溝面２２２との当接部を介してメスコネクタハウジング２００に伝達される。このとき、カバー突起侵入面１２２とリブ溝面２２２とは、かかる力の方向に対して垂直であるから、カバー突起１２０がリブ溝２２０から離脱することはない。すなわち、カバー１００はメスコネクタハウジング２００に確実に組み付けられる。
【００３６】
（結束バンド）
次に結束バンド５００について説明する。
図１０および図１１において、結束バンド５００は、可撓性を具備するバンド部５１０と、バンド部５１０が通過可能かつ抜け出し不可能な結束孔５２１が形成されたヘッド部５２０とを具備している。バンド部５１０には断面鋸歯状の凹凸（図示しない）が形成され、結束孔５２１には前記凹凸を一方の方向のみに拘束する爪状の突起（図示しない）が形成されているから、バンド部５１０は、ヘッド部５２０とは反対側の先端から結束孔５２１に侵入可能であるものの、一旦侵入した後は、抜け出し不可能になる。
【００３７】
また、ワイヤハーネス４００のワイヤ４１０（図示しない。図１参照）は、メスコネクタハウジング２００から、一旦、−Ｙ方向に引き出された後、カバーフード傾斜面１４５においてワイヤ引き出し方向１０１側（−Ｚ方向）に曲げられ、カバーフード左側面１４２、カバーフード右側面１４３およびカバーフード平行面１４４によって案内され、カバーフード端面１４１からワイヤ引き出し方向１０１に引き出されている（図示しない）。
そして、結束バンド５００を構成するバンド部５１０は、カバーフード切欠部１４６およびカバーフード突条１４８に案内され、カバーフード欠損部１４７を通過した状態で、ワイヤ４１０をカバー１００に固定している。このとき、結束バンド５００を構成するヘッド部５２０は、カバーフード左側面１４２のカバーフード切欠部１４６の周囲に押し当てられ、バンド部５１０は締め上げられている。
【００３８】
そうすると、結束バンド５００のズレが防止された状態で、バンド部５１０はカバーフード欠損部１４７を通過して、ワイヤ４１０に直接当接し、ワイヤ４１０をカバー１００に固定する。すなわち、結束バンド５００の締め上げ作業は安定になり、結束バンド５００は十分に締め上げられ、ワイヤ４１０はカバー１００に確実に固定される。
また、バンド部５１０はカバーフード欠損部１４７を通過可能で、可撓性を具備するから、引き出されるワイヤ４１０の本数に左右されることなく、ワイヤ４１０をカバー１００に固定することができる。すなわち、ワイヤ４１０の本数が少ない場合、バンド部５１０は正面視で略三角形を呈し、ワイヤ４１０の本数が多い場合、バンド部５１０は正面視で略台形を呈し、バンド部５１０を締め上げることができる。
なお、本発明は、カバー１００に取り付けられる結束バンド５００の形状を限定するものではなく、また、結束バンド５００と相違する部材によってワイヤ４１０をカバー１００に固定してもよい。
【産業上の利用可能性】
【００３９】
以上のように、本発明に係るコネクタ構造は、カバーおよびメスコネクタハウジングがオスコネクタハウジングの幅内に納まって容易かつ確実に組み付けられているから、各種機器に設置されるコネクタ構造として広く利用することができる。
【符号の説明】
【００４０】
１００：カバー
１０１：ワイヤ引き出し方向
１１０：カバーアーム
１１１：カバーアーム平行部分
１１２：カバーアーム垂直部分
１１３：カバーアーム空間
１１４：カバー位置決め面
１２０：カバー突起
１２１：カバー突起摺動面
１２２：カバー突起侵入面
１３０：カバーフランジ
１３１：カバーフランジ端面
１４０：カバーフード
１４１：カバーフード端面
１４２：カバーフード左側面
１４３：カバーフード右側面
１４４：カバーフード平行面
１４５：カバーフード傾斜面
１４６：カバーフード切欠部
１４７：カバーフード欠損部
１４８：カバーフード突条
２００：メスコネクタハウジング
２０１：メスコネクタ端面
２０３：メスコネクタ背面
２１０：リブ
２１１：リブ摺動面
２２０：リブ溝
２２２：リブ溝面
２３０：係止ロック
２４０：ワイヤハーネス収納室
３００：オスコネクタハウジング
３０１：オスコネクタ端面
３０２：オスコネクタフランジ
３１０：カバーアーム収納切欠部
３１１：カバーアーム収納切欠部底面
３１２：ストッパー
３２０：リブ収納切欠部
３２１：リブ収納切欠部底面
３３０：係止ロック溝
３４０：オスコネクタ収納室
４００：ワイヤハーネス
４０１：ワイヤハーネス挿入方向
４１０：ワイヤ
４２０：圧着端子
５００：結束バンド
５１０：バンド部
５２０：ヘッド部
５２１：結束孔
１０００：コネクタ構造
【図１】
0006275104.tif 000002
【図２】
0006275104.tif 000003
【図３】
0006275104.tif 000004
【図４】
0006275104.tif 000005
【図５】
0006275104.tif 000006
【図６】
0006275104.tif 000007
【図７】
0006275104.tif 000008
【図８】
0006275104.tif 000009
【図９】
0006275104.tif 000010
【図１０】
0006275104.tif 000011
【図１１】
0006275104.tif 000012